(57)【要約】【課題】観察中や計測中における帯電が観察画面に与える影響を低減する。【解決手段】試料が試料室内にロードされてからアンロードされるまでの間に、試料を静電チャックから持ち上げる上昇動作と、持ち上げた試料を再び静電チャックに載置する下降動作とを少なくとも１回実行するウェハリフト機構を有する荷電粒子線装置を提供する。【選択図】図６Ａ
2017134882.tif 000002
【特許請求の範囲】
【請求項１】
荷電粒子を試料に照射する荷電粒子源と、
前記試料を試料室内で保持する静電チャックと、
前記試料を前記静電チャックの搭載面に載置する下降動作と、前記試料を前記搭載面から持ち上げる上昇動作を実行する昇降機構と、
前記昇降機構を制御し、前記試料が前記試料室にロードされてからアンロードされるまでの間に、前記上昇動作と前記下降動作を一組とする動作を実行させる制御部と、
を有する荷電粒子線装置。
【請求項２】
請求項１に記載の荷電粒子線装置において、
前記制御部は、前記試料の帯電状態を検知して、前記上昇動作と前記下降動作を一組とする動作の実行タイミングを決定する
ことを特徴とする荷電粒子線装置。
【請求項３】
請求項１に記載の荷電粒子線装置において、
前記制御部は、表示画面上のＧＵＩを通じ、前記上昇動作と前記下降動作を一組とする動作の実行の有無と実行間隔を受け付ける
ことを特徴とする荷電粒子線装置。
【請求項４】
請求項１に記載の荷電粒子線装置において、
前記制御部は、前記上昇動作と前記下降動作を一組とする動作を、前記試料が前記試料室にロードされてからアンロードされるまでの間に複数回実行する
ことを特徴とする荷電粒子線装置。
【請求項５】
請求項１に記載の荷電粒子線装置において、
前記制御部は、前記試料の撮像画像の明るさに基づいて、前記上昇動作と前記下降動作を一組とする動作の実行タイミングを決定する
ことを特徴とする荷電粒子線装置。
【請求項６】
請求項１に記載の荷電粒子線装置において、
前記制御部は、前記試料を前記試料室内にロードした直後に取得された撮像画像の明るさを基準値として設定し、逐次取得される撮像画像の明るさと前記基準値との比較結果に基づいて、前記上昇動作と前記下降動作を一組とする動作の実行タイミングを決定する
ことを特徴とする荷電粒子線装置。
【請求項７】
請求項１に記載の荷電粒子線装置において、
前記制御部は、前記静電チャックに印加される電圧条件が異なる複数の撮像画像についてそれぞれ明るさを計測し、計測された複数の明るさの比較結果に基づいて、前記上昇動作と前記下降動作を一組とする動作の実行タイミングを決定する
ことを特徴とする荷電粒子線装置。
【請求項８】
請求項１に記載の荷電粒子線装置において、
前記荷電粒子の照射によって発生する２次信号粒子の通過を制御して取得される撮像画像の明るさを調整するエネルギーフィルタを更に有し、
前記制御部は、前記エネルギーフィルタに印加される電圧条件が異なる複数の撮像画像についてそれぞれ明るさを計測し、計測された複数の明るさの比較結果に基づいて、前記上昇動作と前記下降動作を一組とする動作の実行タイミングを決定する
ことを特徴とする荷電粒子線装置。
【請求項９】
請求項１に記載の荷電粒子線装置において、
前記制御部は、レシピ条件に基づいて前記試料の帯電速度を計算し、計算結果に基づいて、前記上昇動作と前記下降動作を一組とする動作の実行タイミングを決定する
ことを特徴とする荷電粒子線装置。
【請求項１０】
請求項１に記載の荷電粒子線装置において、
前記制御部は、前記上昇動作と前記下降動作を一組とする動作の実行後に前記試料の帯電電位を計測し、計測値が所定の閾値を超える場合、エラー報知を実行する
ことを特徴とする荷電粒子線装置。
【請求項１１】
請求項１に記載の荷電粒子線装置において、
前記昇降機構は、前記試料を裏面側から支持する複数個のリフトピンを有し、前記複数個のリフトピンにおける前記試料との接触面は弾性を有する導電体で構成される
ことを特徴とする荷電粒子線装置。
【請求項１２】
請求項１に記載の荷電粒子線装置において、
前記制御部は、前記上昇動作と前記下降動作の実行後に、前記試料のアライメント処理を実行する
ことを特徴とする荷電粒子線装置。
【請求項１３】
請求項１２に記載の荷電粒子線装置において、
前記制御部は、前記アライメント処理後における前記試料のアライメントずれ量が規定値以上である場合、前記試料を真空内で別チャンバに移動させた後、再度のアライメント処理を実行する
ことを特徴とする荷電粒子線装置。
【請求項１４】
荷電粒子を試料に照射する荷電粒子源と、前記試料を試料室内で保持する静電チャックと、前記試料を前記静電チャックの搭載面に載置する下降動作と、前記試料を前記搭載面から持ち上げる上昇動作を実行する昇降機構と、制御部とを有する荷電粒子線装置の帯電除去方法において、
前記制御部が、前記試料が前記試料室にロードされてからアンロードされるまでの間に、前記上昇動作と前記下降動作を一組とする動作を前記昇降機構に実行させる処理
を有する荷電粒子線装置の帯電除去方法。
【請求項１５】
請求項１４に記載の帯電除去方法において、
前記制御部は、前記試料の帯電状態を検知して、前記上昇動作と前記下降動作を一組とする動作の実行タイミングを決定する
ことを特徴とする帯電除去方法。
【請求項１６】
請求項１４に記載の帯電除去方法において、
前記制御部は、表示画面上のＧＵＩを通じ、前記上昇動作と前記下降動作を一組とする動作の実行の有無と実行間隔を受け付ける
ことを特徴とする帯電除去方法。
【請求項１７】
請求項１４に記載の帯電除去方法において、
前記制御部は、前記上昇動作と前記下降動作を一組とする動作を、前記試料が前記試料室にロードされてからアンロードされるまでの間に複数回実行する
ことを特徴とする帯電除去方法。
【請求項１８】
請求項１４に記載の帯電除去方法において、
前記制御部は、前記試料の撮像画像の明るさに基づいて、前記上昇動作と前記下降動作を一組とする動作の実行タイミングを決定する
ことを特徴とする帯電除去方法。
【請求項１９】
請求項１４に記載の帯電除去方法において、
前記制御部は、前記試料を前記試料室内にロードした直後に取得された撮像画像の明るさを基準値として設定し、逐次取得される撮像画像の明るさと前記基準値との比較結果に基づいて、前記上昇動作と前記下降動作を一組とする動作の実行タイミングを決定する
ことを特徴とする帯電除去方法。
【請求項２０】
請求項１４に記載の帯電除去方法において、
前記制御部は、前記静電チャックに印加される電圧条件が異なる複数の撮像画像についてそれぞれ明るさを計測し、計測された複数の明るさの比較結果に基づいて、前記上昇動作と前記下降動作を一組とする動作の実行タイミングを決定する
ことを特徴とする帯電除去方法。
【請求項２１】
請求項１４に記載の帯電除去方法において、
前記荷電粒子線装置が、前記荷電粒子の照射によって発生する２次信号粒子の通過を制御して取得される撮像画像の明るさを調整するエネルギーフィルタを更に有するとき、
前記制御部は、前記エネルギーフィルタに印加される電圧条件が異なる複数の撮像画像についてそれぞれ明るさを計測し、計測された複数の明るさの比較結果に基づいて、前記上昇動作と前記下降動作を一組とする動作の実行タイミングを決定する
ことを特徴とする帯電除去方法。
【請求項２２】
請求項１４に記載の帯電除去方法において、
前記制御部は、レシピ条件に基づいて前記試料の帯電速度を計算し、計算結果に基づいて、前記上昇動作と前記下降動作を一組とする動作の実行タイミングを決定する
ことを特徴とする帯電除去方法。
【請求項２３】
請求項１４に記載の帯電除去方法において、
前記制御部は、前記上昇動作と前記下降動作を一組とする動作の実行後に前記試料の帯電電位を計測し、計測値が所定の閾値を超える場合、エラー報知を実行する
ことを特徴とする帯電除去方法。
【請求項２４】
請求項１４に記載の帯電除去方法において、
前記制御部は、前記上昇動作と前記下降動作の実行後に、前記試料のアライメント処理を実行する
ことを特徴とする帯電除去方法。
【請求項２５】
請求項２４に記載の帯電除去方法において、
前記制御部は、前記アライメント処理後における前記試料のアライメントずれ量が規定値以上である場合、前記試料を真空内で別チャンバに移動させた後、再度のアライメント処理を実行する
ことを特徴とする帯電除去方法。
【発明の詳細な説明】
【技術分野】
【０００１】
本発明は、試料の計測検査等に使用される荷電粒子線装置とその帯電除去方法に関する。
【背景技術】
【０００２】
近年における半導体デバイスの微細化と三次元化の進行に伴い、アスペクト比の大きい深穴及び深溝の底の観察や計測が求められている。また、微細化により、異なる工程間でのパターンの重ね合わせの管理の重要度が高まっている。このような深穴若しくは深溝の底、又は、デバイス内部の観察では、荷電粒子を高い加速電圧で照射する必要がある。また、同構造の観察では、表面の観察時に比べ、試料から出力される二次電子及び反射電子が少なくなる。このため、従来手法に比べて高い照射電流が要求される。
【０００３】
加えて、半導体ウェハの観察では、観察面が平坦であることが要求される。このため、表面の誘電層を介して半導体ウェハに電圧を印加して静電気力を発生させ、当該静電気力により半導体ウェハをウェハ保持面に保持する静電チャックが広く使われている。ところが、静電チェックでは、半導体ウェハが電気的に外部と導通されない。このため、観察のために照射される電流に起因する半導体ウェハのグローバルな帯電の進行が、性能面（例えば撮像品質）に与える影響が懸念される。また、帯電により残留吸着が発生すると、半導体ウェハをウェハ保持面から正常に離脱できない問題が生じる。
【０００４】
この問題を解決する手法が、特許文献１に開示されている。特許文献１の要約部には、「本発明の一実施形態は、静電チャックの表面に捕捉電圧によって電気的に密着している半導体ウェハを解放する方法に関する。本方法では、捕捉電圧を解除する。この解除後のある期間、ウェハの第２の領域を静電チャックの表面に密着させたまま、ウェハの第１の領域を静電チャックの表面から第１の距離だけ持ち上げる。期間中、所定の条件をモニタする。所定の条件が満たされると、第２の領域を静電チャックの表面から持ち上げる。」と記載されている。
【０００５】
なお、特許文献１以外にも、半導体ウェハの上方側からアースコンタクトを接触させて半導体ウェハを除電する方法、半導体ウェハの裏面からコンタクトピンの突起部を挿し、半導体ウェハと電気的に接触させて除電する方法が知られている。
【先行技術文献】
【特許文献】
【０００６】
【特許文献１】特表２０１２−５１１８３１号公報
【発明の概要】
【発明が解決しようとする課題】
【０００７】
ところが、特許文献１に記載されている方法は、全てのプロセス処理が終了した後に、半導体ウェハを安全に取りだすことを意図するものであり、半導体ウェハの処理中における帯電除去は考慮されていない。このため、引用文献１の手法は、半導体ウェハの観察中における帯電が観察画面に与える影響には対応できない。また、コンタクトピンを用いる除電方法は、裏面の絶縁膜の種類によっては導通が取れず除電できない。また、導通を確保するために、強い力でコンタクトピンを半導体ウェハに押し当てると、半導体ウェハの裏面にダメージを与える問題がある。
【課題を解決するための手段】
【０００８】
上記課題を解決するため、発明者らは、例えば特許請求の範囲に記載の構成を採用する。本明細書は上記課題を解決する手段を複数含んでいるが、その一例を挙げるならば、「試料が試料室内にロードされてからアンロードされるまでの間に、試料を静電チャックから持ち上げる上昇動作と、持ち上げた試料を再び静電チャックに載置する下降動作を一組とする動作を実行する荷電粒子線装置」を特徴とする。
【発明の効果】
【０００９】
本発明により、試料の検査中や計測中にも、試料を破壊することなく除電でき、帯電に起因する画質の低下を防いで常に安定した検査、計測等を実現することができる。前述した以外の課題、構成及び効果は、以下の実施の形態の説明により明らかにされる。
【図面の簡単な説明】
【００１０】
【図１】実施例１における荷電粒子線装置の概略構成を示す図。
【図２Ａ】実施例１における試料保持機構の概略断面構成を示す図。
【図２Ｂ】実施例１における試料保持機構の概略上面構成を示す図。
【図３Ａ】実施例１の二次電子の軌道を説明する図。
【図３Ｂ】ウェハ表面電位と二次電子像の明るさとの関係を説明する図。
【図４】導通確認方法を説明する図。
【図５Ａ】静電チャックのオフセット電位と２次電子像の明るさの関係を説明する図。
【図５Ｂ】ウェハ観察時間とウェハ帯電量の関係を説明する図。
【図６Ａ】実施例１におけるレシピ実行プロセスを示すフローチャート。
【図６Ｂ】導通確認プロセスを示すフローチャート。
【図６Ｃ】除電プロセスを示すフローチャート。
【図７】除電機能の設定画面（GUI）の例を示す図。
【図８】実施例２における荷電粒子線装置の概略構成を示す図。
【図９】実施例２における試料保持機構の概略断面構成を示す図。
【図１０Ａ】実施例２の二次電子の軌道を説明する図。
【図１０Ｂ】２次電子エネルギーと発生する２次電子数の関係を説明する図。
【図１０Ｃ】エネルギーフィルタの強度と二次電子像の明るさとの関係を説明する図。
【図１１Ａ】実施例２におけるレシピ実行プロセスを示すフローチャート。
【図１１Ｂ】帯電計測プロセスを示すフローチャート。
【図１２】実施例２におけるウェハ表面電位の補正動作を説明する図。
【図１３】実施例３における荷電粒子線装置の概略構成を示す図。
【図１４】実施例３におけるレシピ実行プロセスを示すフローチャート。
【発明を実施するための形態】
【００１１】
以下では、荷電粒子線装置の一例として走査型電子顕微鏡について説明する。ただし、走査型電子顕微鏡は、本発明の単なる一例であり、本発明は以下に説明する実施の形態に限定されるものではない。本発明において荷電粒子線装置とは、荷電粒子線を用いて試料の画像を撮像する装置を広く含むものとする。荷電粒子線装置の一例として、走査型電子顕微鏡を用いた検査装置、レビュー装置、パターン計測装置が挙げられる。また、各種イオンを用いた試料観察装置、さらには荷電粒子線を用いる試料加工装置や試料解析装置にも適用可能である。また、以下の説明において、荷電粒子線装置とは、上記の荷電粒子線装置がネットワークで接続されたシステムや上記の荷電粒子線装置の複合装置も含むものとする。また、以下では、パターンが形成された半導体ウェハ（以下「ウェハ」という）を試料として用いる場合について説明するが、本発明における試料は、半導体ウェハに限られるものではない。
【００１２】
［実施例１］
［装置構成］
図１に、走査型電子顕微鏡の概略構成例を示す。顕微鏡本体は、電子光学系であるカラム１と試料室２で構成される。カラム１の内部には、電子銃３、コンデンサレンズ４、対物レンズ５、ディフレクタ６、２次電子検出器７、Ｅ×Ｂフィルタ８、反射電子検出器９が含まれる。電子銃３から発生された一次電子線（照射電子）は、コンデンサレンズ４と対物レンズ５により収束され、静電チャック１１上に載置されたウェハ１０を照射する。一次電子線は、ディフレクタ６により偏向され、ウェハ１０の表面に沿って走査する。ディフレクタ６による一次電子線の偏向は、ビーム走査コントローラ１６から与えられる信号に従って制御される。
【００１３】
一次電子線の照射によりウェハ１０から発生した２次電子は、Ｅ×Ｂフィルタ８によって２次電子検出器７の方向に向けられ、２次電子検出器７で検出される。また、ウェハ１０からの反射電子は、反射電子検出器９によって検出される。なお、光学系の構成は、前述の構成に限られず、例えば他のレンズ、電極、検出器を含んでもよいし、一部の構成が上記の構成と異なっていてもよい。
【００１４】
試料室２に設置されるＸＹステージ１２は、ステージコントローラ１７から与えられる制御信号に従い、カラム１に対してウェハ１０の位置をＸＹ面内（水平面内）で移動させる。ＸＹステージ１２上には、ビーム校正のための標準試料１３が取り付けられている。また、走査型電子顕微鏡は、ウェハアライメントのための光学顕微鏡１４を有している。２次電子検出器７及び反射電子検出器９から出力される検出信号は、画像処理ボード１８に送られ画像化される。ウェハ１０は、ロードロック室１５を通じて試料室２にロードされる。なお、ロードロック室１５は、カラム１及び試料室２と同様に真空状態に保たれている。本明細書では、大気圧の外部空間から真空状態の試料室２へのウェハ１０の搬入をロードと呼び、その反対に、試料室２から大気圧の外部空間へのウェハ１０の搬出をアンロードと呼ぶ。また、顕微鏡全体の動作は、コンピュータ１９により制御される。
【００１５】
図２Ａ及びＢに、静電チャック１１で構成される試料保持機構の概略構成を示す。前述したように、ウェハ１０は、静電チャック１１の上面に保持される。静電チャック１１には、正電極３３と負電極３４が埋め込まれており、静電チャック時、正電極３３には正電位Vpが印加され、負電極３４には負電位Vnが印加される。両電位の印加により静電気力が発生し、発生した静電気力によりウェハ１０が静電チャック１１に吸着保持される。なお、静電チャック以外の期間では（例えばロード時やアンロード時）、正電極３３と負電極３４に対する電位の印加は無い。また、本実施例の静電チャック１１には、リターディング電圧Vrの印加が可能な構造となっている。図中の電源を示す記号は、いずれも印加電圧を可変できることを表している。
【００１６】
静電チャック１１には、導電性を有するコンタクト機構３５を収容し、静電チャック１１の裏面から表面に達する１つの孔が設けられている。コンタクト機構３５は、導電性材料のコンタクトピンと不図示のばね機構とで構成されている。コンタクトピンの先端は半球面又は円錐形成である。コンタクトピンは、静電チャック１１に載置されたウェハ１０と常に接触するように、ばね機構による弱い力でウェハ１０の裏面に押し付けられる。この押し上げ力による接触により、コンタクトピンの先端とウェハ１０の裏面との導通が確保される。ただし、この押し上げ力が強すぎると、ウェハ１０の裏面にダメージを与えてしまう。また、前述したように、ウェハ１０の裏面に絶縁膜が形成されている場合には、コンタクトピンによる接触によっては、ウェハ１０の裏面との間に導通を確保できない。導通が確保できない場合には、一次電子線の照射中にウェハ１０が帯電するため、本実施例の走査型電子顕微鏡には、コンタクト機構３５以外の除電機能が用意されている。除電機能については後述する。
【００１７】
各電極とウェハ１０との間には以下に示す電気関係が成立する。ここでは、正電極３３とウェハ１０で形成されるキャパシタの静電容量をCp、負電極３４とウェハ１０で形成されるキャパシタの静電容量をCn、ウェハ１０の表面電位をVとする。ウェハ１０とコンタクト機構３５の導通がなくても、ウェハ１０が帯電していない場合、２つのキャパシタに蓄えられる電荷は等しいため、以下の関係式が成り立つ。なお、オフセット電圧ΔVはゼロとしている。
Cp*｛（Vp＋Vr）−V｝＝Cn*｛V−（Vr＋Vn）｝    …式（１）
厳密な意味では、他に存在する浮遊容量の影響が考えられるが、それらはCnやCpに比較して十分に小さく、計算式において省略しても問題ない。
【００１８】
式（１）を、ウェハ１０の表面電位Vに対して展開すると、以下の式が得られる。
V＝｛Cp＊（Vp＋Vr）＋Cn*（Vr＋Vn））/（Cp＋Cn）    …式（２）
静電チャック１１において、Cp＝Cnであるとすると、以下の関係式が成り立つ。
V＝（Vp＋Vn）/２＋Vr    …式（３）
【００１９】
リフト機構は、ウェハ１０のロード時、アンロード時、本実施例で提案する観察中等の除電時に、ウェハ１０を静電チャック１１の載置面から一時的に持ち上げるために使用される。本実施例の場合、リフト機構は、３本のリフトピン３６ａ〜ｃとその駆動機構３７（例えばモータ）で構成される。３本のリフトピン３６ａ〜ｃは、静電チャック１１の円周方向に等角度ずつ離して配置される。図２Ｂの例では120°ずつ離して配置される。この配置により、ウェハ１０は、その裏面側の３点において、静電チャック１１の表面から持ち上げられた位置でリフトピン３６ａ〜ｃにより保持される。なお、静電チャック１１には、３本のリフトピン３６ａ〜ｃを収容する３つの孔が形成されている。各孔は、静電チャック１１の裏面から表面に達する。
【００２０】
リフトピン３６ａ〜ｃの先端部（ウェハ１０との接触面）はほぼ平坦であり、少なくとも当該先端部は弾性を有する導電体で形成されている。この導電体は、アース電位に常に接続されている。もっとも、リフトピン３６ａ〜ｃの全体が導電体である必要はない。また、リフトピン３６ａ〜ｃの先端部（ウェハ１０との接触面）についても、その全体が導電体である必要はない。リフトピンのウェハとの接触部分である先端部が弾性導電体でかつアースに接続されていれば、リフトピンの構造は本実施例で記載したものと異なっていてもよい。例えばリフトピン３６ａ〜ｃの先端部（ウェハ１０との接触面）には、ドーナツ形状の弾性を有する導電体が配置されていても良い。ここで弾性を有する導電体とは例えば導電性ゴム等である。弾性を有することにより、ウェハと接触したときに導電性弾性体の接触面が変形して、接触面積が大きくなることが重要と考えられる。発明者らは、リフトピン３６ａ〜ｃの先端部に、外径（直径）が8mm、導体の幅が2mmのドーナツ形状を有する弾性導電体を取り付け、ウェハ１０の裏面の酸化膜の厚さが500nmの場合に除電効果があることを確認した。また、駆動機構３７は、少なくとも除電時に、リフトピン３６ａ〜ｃの先端部分を、静電チャック１１の載置面から3mmほど上方に持ち上げるように動作する。なお、リフトピン３６ａ〜ｃの先端部分が静電チャック１１を押し上げる際に静電チャック１１の裏面に接触する力は、コンタクトピン３５が静電チャック１１の裏面に接触する力よりも大きい。
【００２１】
［ウェハ表面電位と二次電子像の明るさとの関係］
図３Ａに、一次電子線の照射によりウェハ１０の表面近傍で生じた二次電子４４の軌道を示す。二次電子４４は、対物レンズ５内の２次電子検出器７により二次電子信号として検出される。なお、対物レンズ５に対してウェハ１０が正の電位を有する場合、ウェハ１０の表面近傍で生じた二次電子４５は、電界によりウェハ１０へ引き戻され、２次電子検出器７において検出されなくなる。図３Ｂには、二次電子信号を一次電子線の走査位置に応じて配置することにより形成される２次電子像の明るさ（縦軸）と、ウェハ１０の表面電位（横軸）との関係を示している。曲線４６は、ウェハ１０の表面電位Vが正になると、２次電子画の明るさが徐々に低下し始め、やがてある電位を超えるとほぼゼロになる関係を表している。
【００２２】
［導通有無の確認方法］
次に、図４を用い、本実施例において提案する導通有無の確認方法について説明する。この導通有無の確認方法は、コンタクト機構３５とウェハ１０とが導通状態にあるか否かを確認するための方法である。なお、導通が確認されている場合には、ウェハ１０の表面電位Vは常に一定のリターディング電圧Vr（＜０）に保たれるため、ウェハ１０が帯電することはなく、除電処理の実行は不要である。この導通有無の確認方法は、除電処理の実行が必要であるか否かを判定するために使用される。図４の横軸は式（３）で示される表面電位Vに相当する電位であり、縦軸は２次電子像の明るさである。本実施例では、リターディング電圧Vrを固定電位とし、VpとVnにオフセット電位ΔVを加える。すなわち、正電極３３にはVp＋ΔVを印加し、負電極３４にはVn＋ΔVを印加する。これらオフセット電位ΔVを加味した電位を、式（３）のVpとVnに代入すると、次式が得られる。
V=（Vp＋Vn）/２＋Vr＋ΔV    …式（４）
ここで、Vp＝−Vn、Vr=0Vとすると、ウェハ１０の表面電位Vはオフセット電位ΔVとなる。このため、図４の横軸には、静電チャック１１のオフセット電位と示している。
【００２３】
ここで、ウェハ１０とコンタクト機構３５の間に導通がない場合（ウェハ１０の裏面が絶縁膜の場合）、２次電子像の明るさは曲線５１に示すように、オフセット電位ΔVが負の電位から正の電位に入った時点から徐々に減少し、オフセット電位ΔVがある電位を超えて大きくなると２次電子像の明るさはほぼゼロになる。この曲線５１の形状は、図３Ｂに示す曲線４６と同様である。一方、ウェハ１０とコンタクト機構３５との間で導通が確保されている場合、ウェハ１０の表面電位Vは、常にリターディング電圧Vrと等しくなる。ここで、Vrは負の電位であるので、２次電子像の明るさは、直線５２で示されるように（点線で示す）、オフセット電位ΔVに依存せずに常に同じ明るさとなる。
【００２４】
図４から分かるように、静電チャックのオフセット電位ΔVとして正電位を印加した状態では、ウェハ１０とコンタクト機構３５との間の導通の有無により２次電子像の明るさが大きく異なる。本実施例では、この明るさの違いに着目し、オフセット電位ΔVが０Vの時の２次電子像の明るさと、オフセット電位ΔVに＋10Vを印加した時の２次電子像の明るさとの比率に基づいて、ウェハ１０とコンタクト機構３５との導通の有無を判定する。この２次電子像の明るさの比率に基づく判定処理は、コンピュータ１９が所定のプログラムに基づいて実行する。
【００２５】
［帯電と帯電補正］
次に、図５Ａ及びＢを用い、本実施例による帯電補正の様子を説明する。図５Ａの曲線５３（実線）は、ウェハ１０が帯電していない時の静電チャックのオフセット電位ΔVに対する２次電子像の明るさの特性である。3ｋV以上の高い加速電圧でウェハ１０を観察した場合、照射電子がウェハ内部まで到達するため、照射電子量に対する２次電子量の割合は0.2以下と小さくなる。このため、ウェハ内部に蓄積した電子によりウェハ１０が負に帯電する。ウェハ１０に蓄積される電荷量をQとすると、以下の関係が成立する。
Cp*｛（Vp＋Vr）−V｝＋Q＝Cn*｛V−（Vr＋Vn）｝    …式（５）
【００２６】
式（５）をVについて展開すると、次式となる。
V＝｛Cp＊（Vp＋Vr）＋Cn*（Vr＋Vn））/（Cp＋Cn）＋Q/（Cp＋Cn）…式（６）
式（６）より、ウェハ１０に蓄積される電荷量Qによって、ウェハ１０の表面電位VがV0＝Q/（Cp＋Cn）だけシフトすることが分かる。ここで、曲線５４（点線）は、ウェハ１０が負極性にV0だけ帯電した場合の静電チャック電位に対する２次電子像の明るさ特性を示している。ウェハ１０が負極性に帯電しているため、オフセット電位ΔVが正の電位の範囲まで、２次電子像が明るく見える範囲がシフトする。
【００２７】
ところで、ウェハ１０に一次電子線を一定時間照射した後のシフト電位を予め計測すれば、一次電子線の照射条件（加速電圧、プローブ電流等）に対するウェハ１０の帯電速度の情報を取得することができる。図５Ｂは、ウェハ観察時間とウェハ帯電量との関係を示している。なお、横軸がウェハ観察時間であり、縦軸がウェハ帯電量である。従来手法のように、レシピに除電処理を含まない場合、直線５５（点線）のように、ウェハ帯電量はウェハ観察時間に比例して増加する。このため、ウェハ観察時間が長くなると、ウェハ帯電量が必要な精度を得るための許容値を超えてしまう。レシピで定めた動作時間内でウェハ帯電量を許容値以下に保つには、定期的な除電動作が必要である。定期的な除電動作を実行した場合、ウェハ帯電量の時間変化は、鋸歯状のパターンで示す連続線５６（実線）となる。この連続線５６で表されるパターンが、本実施例で提案する除電処理の効果である。
【００２８】
［実施例のレシピ処理］
図６Ａに、本実施例にて提案するレシピ処理（ステップ６１）の処理手順を示す。当該レシピ処理は、コンピュータ１９が、不図示の記憶領域からレシピ（測定条件や検査条件を指定する設定、パラメータ、各種の命令等を登録したプログラム）を読み出して実行する。
【００２９】
まず、コンピュータ１９は、観察対象のウェハ１０を試料室２内にロードし（ステップ６２）、ロード完了時にウェハ観察時間Tの計測を開始する（ステップ６３）。次に、コンピュータ１９は、除電動作が必要か否かを判定するための導通確認を実行する（ステップ６４）。導通処理の詳細については後述する。ウェハ１０の裏面に絶縁膜が形成されている場合などでは、コンタクト機構３５による導通が確保されない。
【００３０】
次に、コンピュータ１９は、光学顕微鏡像とSEM（Scanning Electron Microscope）像によるウェハアライメントを実行する（ステップ６５）。なお、アライメントとは、予め登録されたパターン位置を基準として、ウェハ座標系と装置の座標系を対応づける処理である。アライメント完了後、コンピュータ１９は、レシピに設定されている最初の指定点に移動して２次電子像を撮像する（ステップ６６）。撮像の終了後、コンピュータ１９は、レシピで設定された全ての指定点についての撮像が終了したか否かを判定し（ステップ６７）、全ての指定点について撮像が終了していればウェハ１０をアンロードし（ステップ７５）、レシピを終了する（ステップ７６）。
【００３１】
これに対し、未だ撮像すべき点が残っている場合、コンピュータ１９は、導通確認ステップ（ステップ６４）での判定結果に基づいて導通の有無（換言すると、除電の必要性）を判定する（ステップ６８）。導通が確保されている場合（OKの場合）には、除電の必要性が無いので、コンピュータ１９は、ステップ６６の処理に戻り、残る全ての指定点の撮像を継続する。一方、導通が確保されていない場合（NGの場合）、コンピュータ１９は、ウェハ観察時間Tが規定値T0を越えたか否かを判定する（ステップ６９）。ここで、規定値T0は、除電周期を与える閾値である。規定値T0を超えていない場合には、許容範囲内の測定が可能であるので、コンピュータ１９はステップ６６の処理に戻る。一方、規定値T0を超えている場合、コンピュータ１９は、除電処理を実行する（ステップ７０）。除電処理の詳細については後述する。
【００３２】
除電処理の後、コンピュータ１９は、ウェハ観察時間Tをゼロにリセットし（ステップ７１）、ウェハ１０の再アライメントを実行する（ステップ７２）。この後、コンピュータ１９は、再アライメントの結果とステップ６５でのアライメントの結果とを比較し、ウェハ１０の位置ずれが規定値を超えるか否かを判定する（ステップ７３）。除電処理では、ウェハ１０をリフトピン３６ａ〜ｃでウェハ載置面に対して数mm上下させるため、ウェハ設置面への再載置時にウェハ１０に位置ずれが生じる可能性があるためである。規定値を超えるずれ量があった場合、コンピュータ１９は、ウェハ１０を一旦大気中にアンロードした後、静電チャック１１のステージ上に再ロードし（ステップ７４）、ステップ７２のアライメントを再度実行する。なお、ステップ７３のずれ量が規定値以下の場合、コンピュータ１９は、ステップ６６の処理に戻る。
【００３３】
図６Ｂを用い、ステップ６４で実行される導通確認の詳細動作を説明する。まず、コンピュータ１９は、オフセット電位ΔVを０Vに設定した状態で取得される２次電子像の明るさが適切になるように検出系回路のゲインを調整し（ステップ６４a）、１枚目の画像を取得する（ステップ６４b）。次に、コンピュータ１９は、ウェハ表面電位が＋10Vになるように静電チャック１１のバランス（オフセット電位ΔV）を変更し（ステップ６４c）、検出系のゲインを変えずに２枚目の画像を取得する（ステップ６４d）。この後、コンピュータ１９は、２つの画像の明るさを比較し、２枚目の画像の平均明るさが、１枚目の画像の平均明るさの50%以下であれば導通NGと判定し、50%より大きければ導通OKと判定する（ステップ６４e）。勿論、この判定手法は一例である。
【００３４】
図６Ｃを用い、ステップ７０で実行される除電処理の詳細動作を説明する。まず、コンピュータ１９は、静電チャック１１に対する電圧の印加をオフに制御する（ステップ７０a）。この結果、静電チャック１１とウェハ１０の間に静電気力が発生しなくなる。次に、コンピュータ１９は、リフトピン３６ａ〜ｃにより、ウェハ１０を静電チャック１１の表面から3mmだけリフトアップする（ステップ７０b）。この動作は、単なるリフトアップであり、アンロードの場合のように大気圧の外部空間への搬出は伴わない。また、このリフトアップでは、アース電位に接続された弾性性を有する導電体が、ウェハ１０の裏面（絶縁膜）を支持する（接触する）。因みに、ウェハ１０の裏面に形成された絶縁膜が膜厚500ｎｍの酸化膜に対して、各リフトピンの先端に直径約８ｍｍ、幅２ｍｍのＯリングを用いたときに除電できることを発明者らは実験により確認している。
【００３５】
リフトアップ後、コンピュータ１９は、ウェハ１０をリフトダウンして、静電チャック１１の表面に再び載置する（ステップ７０c）。続いて、コンピュータ１９は、静電チャック１１に電圧（静電極３３に正電位Vp、負電極３４に負電位Vn）を印加する（ステップ７０d）。これにより、ウェハ１０は、静電チャック１１の表面に再び吸着される。
【００３６】
［除電機能の設定画面］
図７に、実施例に係る走査型電子顕微鏡に搭載する除電機能設定画面の一例を示す。ＧＵＩ（Graphical User Interface）  ８１は、マップ表示エリア８２、画像表示エリア８３、画像取得位置表示エリア８４、ウェハ除電設定エリア８５を有している。マップ表示エリア８２には、ウェハマップとチップマップのいずれかが選択的に表示される。マップの切り替えは、ウェハマップ選択ボタン８２ａとチップマップ選択ボタン８２ｂの選択操作により行う。なお、選択入力には、例えば不図示のマウスを使用する。画像表示エリア８３には、光学顕微鏡像とＳＥＭ像のいずれかが選択的に表示される。像の切り替えは、光学顕微鏡画像選択ボタン８３ａとＳＥＭ画像選択ボタン８３ｂの選択操作により行う。なお、画像表示エリア８３の表示倍率は倍率変更ボタン８３ｃにより変更することができる。また、画像取得は、画像取得ボタン８３ｄの操作により指示することができる。画像取得条件は、画像条件設定ボタン８３ｅの操作により、画像条件設定ウィンドウを立ち上げてから行う。
【００３７】
画像取得位置は、チップ内座標と画像取得チップとにより指定する。はじめに、チップ内での画像取得座標を登録する手順を説明する。チップマップ選択ボタン８２ｂにより、マップ表示エリア８２にチップマップを表示させる。この状態で、チップマップ上の任意の位置にポインタを移動させてマウスをクリックすると、クリックした場所の画像が取得される。画像表示エリアで画像をクリックすると、その場所が画像取得座標として登録され、画像取得位置表示エリア８４に対応する画像取得位置が追加される。ここで、初期状態としては原点チップ（０，０）のみが画像取得チップとして選択された状態となっている。画像取得チップを変更する場合には、ウェハマップ選択ボタン８２ａによりウェハマップを表示させた状態で、画像を取得したいチップをウェハマップ上で選択する。
【００３８】
観察中のウェハ除電機能は、ウェハ除電設定エリア８５のチェックボックス８５ａにチェックを入れることで有効となる。また、ウェハ除電を実行する間隔（ステップ６９で使用する規定値Ｔ0）は、除電間隔設定ボックス８５ｂに分単位で数値を入力することで変更することができる。
【００３９】
［まとめ］
以上説明したように、本実施例に示す走査型電子顕微鏡においては、以下に示す技術的効果が実現される。
(1)ウェハ１０の裏面に絶縁膜が形成されているためにウェハ１０とコンタクト機構３５との間の導通が確保できない場合にも、レシピに基づくウェハ１０の観察、測定等の実行中に、定期的にウェハ１０を除電することができる（ステップ７０）。これにより、撮像される画像の品質低下を改善することができる。しかも、この除電は、アンロードを伴わず、リフトピン３６ａ〜３６ｃによるウェハ１０のリフトアップ（上昇動作）とリフトダウン（下降動作）の定期的な実行だけで実現できるため、効率的かつ安価な除電技術を提供できる。なお、リフトピン３６ａ〜３６ｃの少なくとも先端部分（ウェハ１０との接触面）は平坦であり、かつ、アース電位に接続された弾性のある導電体が取り付けられている。なお、ウェハ１０とコンタクト機構３５との導通が確認される場合には（ステップ６８でＮＯ）、定期的な除電の必要がないため、不要な除電動作は実行されない。
【００４０】
(2)本実施例では、事前に測定したウェハ観察時間とウェハ帯電量との関係に基づいて登録した規定値T0毎に自動的に除電を実行する機能を備えている（ステップ６９）ため、スループットを極力低下させずに、効率的な除電処理を実行することができる。このように、本実施例では、ウェハ１０のロードからアンロードまでの間に複数回のウェハ１０のリフトアップとリフトダウンが実行されるが、必要なタイミングで除電処理を実行するためスループットの低下は最小限となる。
(3)本実施例では、図７に示す設定画面を用いて帯電除去の実行の有無と実行時の時間間隔をユーザが指定できるため、効率的な除電タイミングの決定が可能となる。なお、この設定では、画像表示エリア８３に表示される２次電子像の明るさに基づいて、ユーザが除電タイミングを設定することができる。
【００４１】
(4)本実施例では、図５Ｂに示すように、事前にウェハ観察時間とウェハ帯電量の関係を測定しているが、静電チャック１１に印加する電圧を変化させて前記関係を複数測定しておき、当該複数条件について取得された複数の画像の明るさに基づいて、動作条件に適した除電処理の実行間隔を計算により決定することによっても、効率的な除電タイミングの決定が可能となる。
【００４２】
［実施例２］
［装置構成］
図８に、実施例２に係る走査型電子顕微鏡の概略構成例を示す。図８には、図１との対応部分に同一符号を付して示している。図８に示す構成と図１に示す構成との違いは、カラム１にエネルギーフィルタ２０が追加されている点のみである。他の構成は、実施例１の構成と基本的に同じである。なお、エネルギーフィルタ２０は、Ｅ×Ｂフィルタ８と反射電子検出器９の間の２次電子の通過経路上に配置される。また、本実施例の場合、静電チャック１１にコンタクト機構３５が設けられていない場合を想定する。
【００４３】
図９に、本実施例で使用する試料保持機構の概略構成を示す。前述したように、本実施例の試料保持機構には、コンタクト機能３５が設けられていない。このため、ウェハ１０の裏面に絶縁層が形成されているか否かに関わらず、常に、レシピ実行中における帯電を除去する必要がある。試料保持機構のその他の構成は、実施例１の試料保持機構（図２）と同様である。本実施例においては、正電極３３には正電位Vp（＝500V）が印加され、負電極３４には負電位Vn（＝−500V）が印加される。また、リターディング電圧Vrとして−1000Vが印加される。このとき、ウェハ１０の表面電位Vは次式で与えられる。
V＝（Vp＋Vn）/２＋Vr    …式（７）
このため、ウェハ１０の表面電位Vは、−1000Vとなる。本実施例の場合、電子銃３からの引き出し電圧は11ｋVに設定されており、表面電位Vが−1000Vのウェハ１０に対して10ｋVで電子が照射される。
【００４４】
［帯電と帯電補正］
図１０Ａ〜Ｃを用いて、エネルギーフィルタと２次電子像の明るさとの関係を説明する。図１０Ａに示すように、一次電子線によりウェハ１０の表面近傍で生じた２次電子は、２次電子検出器７で検出信号として検出される。エネルギーフィルタ２０は、エネルギーの高い２次電子９５は通過させ、エネルギーの低い２次電子９６はウェハ１０側へ戻す特性を有している。
【００４５】
図１０Ｂは、縦軸を２次電子数、横軸を２次電子エネルギーとするグラフである。曲線１０１は、ウェハ１０が帯電していない時の２次電子のエネルギー分布を示している。ウェハ１０が負に帯電している場合、電界により２次電子が上方に更に加速されるため、２次電子のエネルギー分布は曲線１０２で示されるように、高エネルギー側にシフトする。つまり、シフト量は、ウェハ１０の帯電量に比例する。
【００４６】
図１０Ｃは、縦軸を２次電子像の明るさ、横軸をエネルギーフィルタ２０の強度とするグラフであり、曲線１０３、１０４は、エネルギーフィルタ強度に対する２次電子像の明るさの特性を示している。なお、横軸の右側ほど、エネルギーフィルタ２０に与えるマイナスの電位の絶対値が大きいことを示している。曲線１０３は、ウェハ１０に帯電がないときのエネルギーフィルタ２０の強度に対する２次電子像の明るさの特性である。曲線１０３に示すように、エネルギーフィルタ２０の強度を上げる（印加する負電位を大きくする）と、２次電子像がある時点から暗くなり、エネルギーフィルタ２０の電位が−V0[V]の時の画像の明るさは、エネルギーフィルタ２０の強度が0Vの時の明るさの１／２に減少する。曲線１０４は、ウェハ１０が負に帯電した場合の特性である。曲線１０４では、帯電電位分だけ特性が右側にシフトしている。このため、エネルギーフィルタ２０の電位が−V１[V]の時の明るさが、エネルギーフィルタ２０の強度が0Vの時の明るさの１／２に減少する。ここで、ウェハ１０の帯電量は、次式で求めることができる。
ΔV＝V0−V1    …式（８）
【００４７】
［実施例のレシピ処理］
図１１Ａに、本実施例にて提案するレシピ処理（ステップ１０１）の処理手順を示す。当該レシピ処理は、コンピュータ１９が、不図示の記憶領域からレシピ（測定条件や検査条件を登録したプログラム）を読み出して実行する。
【００４８】
まず、コンピュータ１９は、観察対象のウェハ１０を試料室２にロードする（ステップ１０２）。この実施例の場合、コンピュータ１９は、ロード完了後、光学顕微鏡像とSEM像によるウェハアライメントを実行（ステップ１０３）。本実施例では、試料保持機構にコンタクト機構３５がないため、導通確認が不要なためである。
【００４９】
次に、コンピュータ１９は、レシピに設定された最初の指定点に移動する（ステップ１０４）。続いて、コンピュータ１９は、移動先の指定点が１点目か否かを判定する（ステップ１０５）。１点目の場合、コンピュータ１０は、ウェハ１０の初期の帯電量を計測し（ステップ１０６）、計測値をエネルギーフィルタ基準値として登録する（ステップ１０７）。なお、計測処理の詳細については後述する。また、エネルギーフィルタ基準値とは、２次電子強度が１／２となるエネルギーフィルタ強度であり、図１０Ｃの−V0[V]に相当する。
【００５０】
移動先の指定点が１点目でない場合、コンピュータ１９は、帯電計測点か否かを判定する（ステップ１０８）。帯電計測点は、レシピにおいて事前に設定されている。例えば帯電計測を１０点毎に実行すると設定されている場合、コンピュータ１９は、撮像を行う指定点が１０点目であるか、２０点目であるか、３０点目であるか等の判定を行う。帯電計測点と判定された場合、コンピュータ１９は、帯電計測を実行する（ステップ１０９）。帯電計測の詳細は後述する。この後、コンピュータ１９は、計測された帯電量が閾値以上かを判断する（ステップ１１０）。本実施例では、帯電閾値を50Vとする。勿論、閾値は、この値に限らない。
【００５１】
計測された帯電量が閾値以上の場合、コンピュータ１９は、リフトピン３６ａ〜ｃを駆動制御して、ウェハ１０を静電チャック１１の載置面からリフトアップし、その後、リフトダウンすることによりウェハ１０を除電する（ステップ１１１）。実施例１で説明したように、除電動作はアンロード動作を含まない。除電完了後、コンピュータ１９は、アライメントの実行を指示する（ステップ１１２）。一方、帯電が閾値未満の場合、コンピュータ１９は、リターディング電圧Vrによる帯電補正を実行する（ステップ１１３）。例えばウェハ１０の帯電が−20Vであったとすると、リターディング電位Vrを＋20V変化させて静電チャック１１の表面での電位を−980Vに変更し、ウェハ１０の表面電位Vを−1000Vに戻す。補正後の表面電位Vは、測定開始時の電位である。なお、ステップ１１１の除電処理の場合、リターディング電位Vrは自動的に初期値に変更される。
【００５２】
帯電補正に関して必要な処理が終了すると、コンピュータ１９は、指定点の２次電子像を撮像する（ステップ１１４）。この後、コンピュータ１９は、レシピで規定された全ての指定点について撮像が終了したか否かを判定し（ステップ１１５）、指定点が残っていればステップ１０４に移動して次の指定点に撮像領域を移動する。一方、レシピで規定された全ての撮像点が終了していた場合、コンピュータ１９は、ウェハ１０を試料室２からアンロードして（ステップ１１６）、レシピを終了する（ステップ１１７）。
【００５３】
図１１Ｂに、ステップ１０６及び１０９で実行される帯電計測の詳細動作を説明する。まず、コンピュータ１９は、エネルギーフィルタを0Vに設定し（ステップ１０６ａ）、画像の明るさを調整する（ステップ１０６ｂ）。この後、コンピュータ１９は、２次電子像を取得し（１０６ｃ）、２次電子像の平均明るさを計測する（ステップ１０６ｄ）。次に、コンピュータ１９は、エネルギーフィルタ設定値が可変範囲の最終段か否かを判定し（ステップ１０６ｅ）、最終段で無い場合、コンピュータ１９は、エネルギーフィルタ２０の設定を次の設定値に変更した後（ステップ１０６ｆ）、ステップ１０６ｃに戻って、次の設定値について２次電子像を取得する。この動作が、ステップ１０６ｅで肯定結果が得られるまで繰り返えされる。この繰り返し処理により、図１０Ｃに示したようなエネルギーフィルタ強度と２次電子像の明るさの特性データが取得される。
【００５４】
ステップ１０６ｅで肯定結果が得られた場合（全てのエネルギーフィルタ強度について２次電子像の明るさ計測が終了した場合）、コンピュータ１９は、取得された特性データからウェハ１０の表面電位Vを計算する（ステップ１０６ｇ）。本実施例の場合、ウェハ１０の表面電位Vは、２次電子像の明るさが初期値（エネルギーフィルタ0Vでの２次電子像の明るさ）の50％となるエネルギーフィルタ強度として求める。勿論、ウェハ１０の表面電位Vの求め方はこの方法に限らず、例えば初期値の50％以外のある明るさになる時のエネルギーフィルタ強度として計算しても良い。また、２次電子像の明るさが初期値の50％以下となった時点で帯電計測を打ち切る処理としても良い。また、エネルギーフィルタ強度を連続的に変化させることで帯電計測を高速化してもよい。
【００５５】
図１２に、レシピの実行中に実行される本実施例のウェハ１０の表面電位Vの補正動作を説明する。図１２は、帯電計測値（ステップ１０６ｇ）、リターディング電圧、ウェハ表面電位がそれぞれどのように変化するかを示している。ウェハ１０の表面電位は、連続線１２１のようにビーム照射により徐々に負電位に変化し、除電の実行により0Vに戻る。連続線１２１が階段状に変化しているのは、本実施例の場合には10撮像点毎に帯電計測を行うためであり、各階段の幅は10回の撮像時間に相当する。本実施例のリターディング電位は、その初期値を−1000Vに設定しているが、ウェハに帯電する電位がΔV（＜０）であるとすると、帯電計測のたび（ただし、計測された停電電位は閾値未満の場合）、リターディング電圧Vrは次式のように補正される。
Vr＝−1000−ΔV    …式（９）
【００５６】
よって、リターディング電圧Vrを表す連続線１２２は、階段状に増加する。例えば、ステップ１０９（ステップ１０６ｇ）で計測されたΔVが−10Vであったとすると、リターディング電圧Vrは−990Vに補正される。また、図１２に示すように、除電によりウェハ１０の帯電電位が0Vに戻ると、リターディング電圧Vrも−1000Vに戻る。なお、ウェハ１０の表面電位Vは、帯電計測が実行されるまでの間も１回の撮像毎に徐々に増加しているため、連続線１２３のように鋸歯形状に変化する。なお、ウェハ１０の表面電位Vは、除電処理を実行しなくても帯電補正（リターディング電圧Vrの補正）により、帯電計測のたび−1000Vに戻る。
【００５７】
なお、前述の実施例では、帯電計測の結果に基づいて、リターディング電圧Vrの補正又は除電を実行しているが、レシピ条件（加速電圧、照射電流、画像撮像時間等）から帯電速度を計算することもできる。すなわち、帯電計測を行うことなく、計算により、リターディング電圧Vrの補正又は除電を実行しても良い。この場合、リターディング電圧Vrは、計算される帯電電位に応じてΔVだけ補正される。また、除電処理は、次式で決まる間隔で実行される。
（除電間隔）＝（帯電閾値）/（１撮像点あたりの帯電計算値）    …式（10）
例えば帯電閾値が−50Vであり、１撮像点あたりの帯電計算値が−0.5Vである場合、除電間隔は100指定点に設定される。
【００５８】
［まとめ］
以上説明したように、本実施例に示す走査型電子顕微鏡においては、実施例１の基本的な効果に加え、以下に示す技術的効果が実現される。
(1)本実施例では、ウェハ１０をロードした直後の２次電子像の明るさを計測して基準値に設定し、当該基準値と定期的に計測される２次電子像の明るさの変化からウェハ１０の帯電の有無及び帯電電位（量）を求めることにより、自動的に除電を実行する（ステップ１１１）。このため、スループットを極力低下させずに、効率的な除電処理を実行することができる。なお、ウェハ１０の表面電位は、図１１Ｂで説明したように、エネルギーフィルタ強度を変化させて複数の２次電子像を取得することで計測することができる。なお、前述したように、ウェハ１０の表面電位は、レシピ条件（加速電圧、照射電流、画像撮像時間等）から計算しても良い。
(2)また、本実施例では、帯電電位の測定値に応じてリターディング電圧Vrを補正するため、除電実行回までの間の計測中におけるウェハ１０の表面電位Vの変動を最小化でき、撮像される２次電子像の品質のばらつきを改善できる。
【００５９】
［実施例３］
［装置構成］
図１３に、実施例３に係る走査型電子顕微鏡の概略構成例を示す。図１３には、図１との対応部分に同一符号を付して示している。図１３に示す構成と図１に示す構成との違いは、カラム１の側面に、帯電電位計２１が追加されている点のみである。この帯電電位計２１は、非接触方式でウェハ１０の帯電電位を計測する。他の構成は、実施例１の構成と基本的に同じである。ただし、試料保持機構の構成は、実施例２と同様、静電チャック１１にコンタクト機構３５が設けられていない場合を想定する。
【００６０】
［実施例のレシピ処理］
図１４に、本実施例にて提案するレシピ処理（ステップ１３１）の処理手順を示す。当該レシピ処理も、コンピュータ１９が、不図示の記憶領域からレシピを読み出して実行する。
【００６１】
まず、コンピュータ１９は、観察対象のウェハ１０を試料室２にロードする（ステップ１３２）。この実施例の場合、コンピュータ１９は、ロード完了後、光学顕微鏡像とSEM像によるウェハアライメントを実行する（ステップ１３３）。本実施例では、試料保持機構にコンタクト機構３５がないため、導通確認が不要なためである。次に、コンピュータ１９は、最初のレシピの指定点に移動し、指定点の２次電子像を撮像する（ステップ１３４）。この後、コンピュータ１９は、全ての指定点の撮像が終了したか否かを判定する（ステップ１３５）。全ての指定点の撮像が終了していた場合、コンピュータ１９は、ウェハ１０を試料室２からアンロードして（ステップ１４６）、レシピを終了する（ステップ１４７）。
【００６２】
一方、撮像すべき残りの指定点がある場合、コンピュータ１９は、帯電電位計２１によってウェハ１０の帯電電位を計測する（ステップ１３６）。新たな指定点について帯電電位が計測される度、コンピュータ１９は、帯電電位が「閾値１」を超えるか否かを判定する（ステップ１３７）。帯電電位が「閾値１」以内の場合、コンピュータ１９は、ステップ１３４に戻って次の指定点を撮像する。一方、帯電電位が「閾値１」を超えている場合、コンピュータ１９は、除電処理を実行する（ステップ１３８）。除電処理は、実施例１と同様の処理である。
【００６３】
除電後、コンピュータ１９は、再度、同一の指定点について帯電電位を計測し（ステップ１３９）、除電後の帯電電位が「閾値２」より小さくなった否かを判定する(ステップ１４０)。除電後でも帯電電位が「閾値２」以上の場合、コンピュータ１９は、レシピの動作を強制的に終了し、除電が正常に実行できなかった旨をGUIに表示させる（ステップ１４１）。例えばエラーの発生を報知する。一方、除電後の帯電電位が「閾値２」より小さくなった場合、コンピュータ１９は、ウェハ１０の再アライメントを実行し（ステップ１４２）、ウェハロード直後のアライメントに対するウェハの位置変化量が規定値以内か否かを判定する（ステップ１４３）。
【００６４】
位置変化量が規定値よりも大きい場合、コンピュータ１９は、ウェハ１０を真空内でロードチャンバに移動させた後、静電チャック１１のステージ上に戻すことによってウェハ位置を調整し（ステップ１４４）、その後、再アライメントを実行する（ステップ１４５）。
【００６５】
本実施例の場合、「閾値１」を−50としV、「閾値２」を−25Vとする。勿論、設定値は、これに限定されるものではない。また、「閾値１」と「閾値２」は同一としても差し支えない。また、ウェハ位置変化量の「閾値」を1mmとする。ただし、この値は、静電チャック１１上でのエッジ部の観察やアンロード動作が正常になされる範囲であればよい。
【００６６】
［まとめ］
本実施例に示す走査型電子顕微鏡においては、以下に示す技術的効果が実現される。
(1)本実施例の場合、ウェハ１０の帯電電位を専用のセンサを用いて非接触で計測するため、ウェハの帯電電位の計測精度を高めることができる。
(2)また、本実施例の場合、除電処理（リフトピン３６ａ〜ｃの上げ下げによる除電）では、ウェハ１０の帯電を除去できない場合、正しい計測動作を継続できないため、レシピの実行を強制的に停止すると共にエラーの発生をユーザに通知することができる。
【００６７】
［他の実施例］
本発明は、上述した実施例の構成に限定されるものでなく、様々な変形例を含んでいる。例えば上述した実施例では、既存のリフトピン３６ａ〜ｃをアース電位に接続して除電にも用いているが、既存のリフトピンとは別に、除電専用ピンを設けても良い。また、本発明は、前述の実施例で説明した全ての構成を必ず備える必要は無い。また、ある実施例の一部を他の実施例の構成に置き換えることが可能であり、ある実施例の構成に他の実施例の構成を加えることも可能である。また、各実施例の構成に他の構成を追加し、又は、各実施例の一部構成を他の構成で置換し、又は各実施例の一部構成を削除することも可能である。
【００６８】
また、上述した各構成、機能、処理部、処理手段等は、それらの一部又は全部を、例えば集積回路その他のハードウェアとして実現しても良い。また、コンピュータ１９が実行するレシピ（プログラム）、テーブル、ファイル等の情報は、メモリやハードディスク、SSD（Solid State Drive）等の記憶装置、ICカード、SDカード、DVD等の記憶媒体に格納することができる。また、制御線や情報線は、説明上必要と考えられるものを示すものであり、製品上必要な全ての制御線や情報線を表すものでない。実際にはほとんど全ての構成が相互に接続されていると考えて良い。
【符号の説明】
【００６９】
１…カラム
２…試料室
３…電子銃
４…コンデンサレンズ
５…対物レンズ
６…ディフレクタ
７…２次電子検出器
８…Ｅ×Ｂフィルタ
９…反射電子検出器
１０…ウェハ
１１…静電チャック
１２…ＸＹステージ
１３…標準試料
１４…光学顕微鏡
１５…ロードロック室
１６…ビーム走査コントローラ
１７…ステージコントローラ
１８…画像処理ボード
１９…コンピュータ
２０…エネルギーフィルタ
２１…帯電電位計
３３…正電極
３４…負電極
３５…コンタクト機構
３６…リフト機構
８１…ＧＵＩ
８２…マップ表示エリア
８２ａ…ウェハマップ選択ボタン
８２ｂ…チップマップ選択ボタン
８３…画像表示エリア
８３ａ…光学顕微鏡画像選択ボタン
８３ｂ…ＳＥＭ画像選択ボタン
８３ｃ…倍率変更ボタン
８３ｄ…画像取得ボタン
８３ｅ…画像条件設定ボタン
８４…画像取得位置表示エリア
８５…ウェハ除電設定エリア
８５ａ…チェックボックス
８５ｂ…除電間隔設定ボックス
【図１】
2017134882.tif 000003
【図２Ａ】
2017134882.tif 000004
【図２Ｂ】
2017134882.tif 000005
【図３Ａ】
2017134882.tif 000006
【図３Ｂ】
2017134882.tif 000007
【図４】
2017134882.tif 000008
【図５Ａ】
2017134882.tif 000009
【図５Ｂ】
2017134882.tif 000010
【図６Ａ】
2017134882.tif 000011
【図６Ｂ】
2017134882.tif 000012
【図６Ｃ】
2017134882.tif 000013
【図７】
2017134882.tif 000014
【図８】
2017134882.tif 000015
【図９】
2017134882.tif 000016
【図１０Ａ】
2017134882.tif 000017
【図１０Ｂ】
2017134882.tif 000018
【図１０Ｃ】
2017134882.tif 000019
【図１１Ａ】
2017134882.tif 000020
【図１１Ｂ】
2017134882.tif 000021
【図１２】
2017134882.tif 000022
【図１３】
2017134882.tif 000023
【図１４】
2017134882.tif 000024